(57)【要約】【課題】  非稼働中に利用者が誤って供給ホッパへ米粒を投入することを防止可能な自動精米装置を得る。【解決手段】  米袋台２６は、略Ｌ字状の板部材で構成され、一端辺が供給ホッパ２０の前面手前側の一端辺と蝶番２８を介して接続されており、蝶番２８を中心としてＲ方向に回転可能とされている。米袋台２６は、自動精米装置１０が点検や故障により非稼働中のときには、供給ホッパ２０の投入口２２を覆って閉鎖する閉鎖位置Ｐ２に配置される。【選択図】    図４
2006326402.tif 000002
【特許請求の範囲】
【請求項１】
米粒を精米処理する自動精米装置であって、
精米処理前の米粒を投入する投入口の形成された供給ホッパと、
前記投入口を開放する開放位置と前記投入口を覆って閉鎖する閉鎖位置との間を移動可能とされ、前記開放位置に配置された状態で上部に米袋を載置可能な米袋台と、
を備えた自動精米装置。
【請求項２】
前記米袋台は、前記供給ホッパの前記投入口と連続された上端辺部に蝶番を介して取り付けられ、前記蝶番を中心に回転することにより前記開放位置と前記閉鎖位置との間を移動可能とされていること、を特徴とする請求項１に記載の自動精米装置。
【請求項３】
前記米袋台は、前記開放位置に配置された状態で、上部に載置される米袋の荷重を受ける脚を備えたこと、を特徴とする請求項１または請求項２に記載の自動精米装置。
【請求項４】
前記米袋台は、前記開放位置に配置された状態で、米袋の載置される載置面が前記投入口よりも低い位置に配置されていること、を特徴とする請求項１乃至請求項３のいずれか１項に記載の自動精米装置。
【請求項５】
前記米袋台には、前記閉鎖位置に配置された状態で非稼働中である旨を表示する表示部が設けられていること、を特徴とする請求項１乃至請求項４のいずれか１項に記載の自動精米装置。
【発明の詳細な説明】
【技術分野】
【０００１】
本発明は、米粒を精米処理する自動精米装置に関する。
【背景技術】
【０００２】
精米装置のうち、コインやプリペイドカードに応じて作動し、供給ホッパ内に投入された米粒（籾または玄米）を白米に処理する自動精米装置が知られている。
【０００３】
例えば、特許文献１に記載のような従来の自動精米装置では、機体の内部に籾摺機及び精米機が配置されており、精米機は石抜き機を介して籾摺機に連結されている。一方、機体の前面壁には米粒が投入される供給ホッパが配置されている。この供給ホッパには、米粒搬送用のスクリューコンベヤが設けられており、投入された米粒を機体の内部へ搬送できる。さらに、供給ホッパ（スクリューコンベヤ）は、機体の内部において昇降機に連結されている。昇降機の米粒搬送出口には切替え弁が設けられている。この切替え弁は、処理する米粒が籾あるいは玄米であるかを選択することにより作動して、昇降機によって搬送した米粒を籾摺機または石抜き機（すなわち、精米機）の何れかへ供給できるようになっている。
【０００４】
またさらに、機体の前面壁には、コイン投入部及びカード挿入部が設けられており、コインを投入できると共にカードが挿入できる。コインを投入後あるいはプリペイドカードを挿入後に運転スイツチを操作すると、投入されたコインまたは挿入されたプリペイドカードに応じて自動精米装置が作動する。
【０００５】
この自動精米装置を利用する際には、供給ホッパへ米粒を投入すると共に、コインを投入しまたはプリペイドカードを挿入し、次いで、穀物選択ボタンを選択操作することによって、処理する（供給ホッパへ投入した）米粒が籾か玄米かを選択する。さらに、運転スイツチを操作すると、投入された米粒が供給ホッパのスクリューコンベヤによって機体の内部へ搬送されて昇降機に供給される。昇降機では、選択された米粒の種別（籾か玄米か）に応じて切替え弁が切り替わり、籾の場合はそのまま籾摺機へ供給されて籾摺り処理された後に、石抜き機を介して精米機に送り込まれ、精米機で精米処理され白米となって取り出される。一方、処理する（供給ホッパへ投入した）米粒が玄米の場合には、昇降機から籾摺機へ供給されることなく、直接石抜き機を介して精米機へ供給され、同様に精米処理され白米となって取り出される。
【０００６】
このように、従来の自動精米装置は、投入された籾または玄米を自動的に精米処理して白米にできる。
【特許文献１】特開２０００−２５１１７５公報
【発明の開示】
【発明が解決しようとする課題】
【０００７】
ところで、このような自動精米装置が点検中や故障中で稼働していない時に、利用者が誤って供給ホッパへ米粒を投入してしまうと、投入した米粒を回収できなくなってしまうという不都合が生じてしまう。
【０００８】
本発明は、上記事実を考慮してなされたものであり、非稼働中に利用者が誤って供給ホッパへ米粒を投入することを防止可能な自動精米装置を得ることを目的とする。
【課題を解決するための手段】
【０００９】
請求項１に記載の本発明に係る自動精米装置は、米粒を精米処理する自動精米装置であって、精米処理前の米粒を投入する投入口の形成された供給ホッパと、前記投入口を開放する開放位置と前記投入口を覆って閉鎖する閉鎖位置との間を移動可能とされ、前記開放位置に配置された状態で上部に米袋を載置可能な米袋台と、を備えている。
【００１０】
上記構成の自動精米装置では、通常の稼働時には、米袋台を開放位置に配置して、この米袋台に精米処理前の米粒の入った米袋を載置し、米袋中の米粒を投入口から投入することができる。また、点検や故障により自動精米装置が非稼働の時には、米袋台を閉鎖位置に配置して投入口を覆う。これにより、投入口は閉鎖されるので、利用者が誤って米粒を投入するのを防止することができる。
【００１１】
請求項２に記載の本発明に係る自動精米装置は、請求項１に記載の本発明において、前記米袋台が、前記供給ホッパの前記投入口と連続された上端辺部に蝶番を介して取り付けられ、前記蝶番を中心に回転することにより前記開放位置と前記閉鎖位置との間を移動可能とされていること、を特徴としている。
【００１２】
上記構成によれば、蝶番で米袋台を供給ホッパに取り付けるという簡易な構成で、開放位置と閉鎖位置との間を移動可能とすることができる。
【００１３】
請求項３に記載の本発明に係る自動精米装置は、請求項１または請求項２に記載の本発明において、前記米袋台が、前記開放位置に配置された状態で、上部に載置される米袋の荷重を受ける脚を備えたこと、を特徴としている。
【００１４】
上記構成によれば、米袋台に米袋の荷重を受ける脚が備えられているので、米袋台の強度が向上する。
【００１５】
請求項４に記載の本発明に係る自動精米装置は、請求項１乃至請求項３のいずれか１項に記載の本発明において、前記米袋台が、前記開放位置に配置された状態で、米袋の載置される載置面が前記投入口よりも低い位置に配置されていること、を特徴としている。
【００１６】
上記構成によれば、米袋台に載置される米袋の開放口と供給ホッパの投入口とが近くなるので、米袋中の米粒を投入口へ投入しやすくすることができる。
【００１７】
請求項５に記載の本発明に係る自動精米装置は、請求項１乃至請求項４のいずれか１項に記載の本発明において、前記米袋台には、前記閉鎖位置に配置された状態で非稼働中である旨を表示する表示部が設けられていること、を特徴としている。
【００１８】
上記構成によれば、利用者に非稼働中である旨を容易に認識してもらうことができる。
【発明の効果】
【００１９】
以上説明したように、本発明に係る自動精米装置によれば、点検や故障により自動精米装置が非稼働の時には、米袋台を閉鎖位置に配置して投入口を覆うことにより、利用者が誤って米粒を投入するのを防止することができる。
【発明を実施するための最良の形態】
【００２０】
図１には本発明の実施の形態に係る自動精米装置１０の概略全体構成図が示されている。自動精米装置１０は、投入されたコインまたはプリペイドカードに応じて作動するコイン精米所であり、操作室１２Ａと機械室１２Ｂから成る屋外用建物を備えている。機械室１２Ｂ内には機体１２が備えられ、機体１２の前面壁には、図２に示すように、操作室１２Ａに露出するように、米粒が投入される供給ホッパ２０、各種指示を入力するための操作パネル３０、及び、白米を集積する集積タンク４０が設けられている。
【００２１】
操作パネル３０には、カード挿入口３２、コイン投入口３４、及び各種操作ボタン３６が設けられている。カード挿入口３２からは所定のカード（例えばプリペイドカード）が挿入され、コイン投入口３４からは所定のコイン（例えば１００円硬貨）が投入される。操作ボタン３６からは各種の指示が入力される。
【００２２】
供給ホッパ２０は、上部に長方形状の投入口２２が形成され、投入口２２から精米処理前の米粒（籾Ｍまたは玄米Ｇ）が投入される。供給ホッパ２０は、下側に向かって開口が狭まるテーパー状とされており、開口の途中に米粒が通過可能な網部材２４が設けられている。供給ホッパ２０の底部には、米粒搬送用のスクリューコンベヤ２１が内蔵されており、供給ホッパ２０内に投入された米粒を搬送することができる。
【００２３】
スクリューコンベヤ２１の米粒搬送方向終端部は、昇降機１３に連結されている。昇降機１３は、供給ホッパ２０へ投入されスクリューコンベヤ２１によって供給された米粒を機体１２の上部へ持ち上げ搬送できる。
【００２４】
昇降機１３の上端部に設けられた放出口１３Ａには、切換弁１４が取り付けられている。切換弁１４は作動することにより米粒の供給方向を、後述する籾摺機１５または石抜き機１６へ切換える。
【００２５】
機体１２内部の昇降機１３の側方には、脱ぷ部としての籾摺機１５が配置されている。籾摺機１５は、一対のゴムロール機構を備えたロール式とされており、米粒（籾Ｍ）の脱ぷ処理ができる。なおこの脱ぷ部は、他の型式のもの例えば、高速回転羽を備えた衝撃式の遠心脱ぷ機であっても差し支えない。
【００２６】
籾摺機１５の側方には石抜き機１６が配置されており、籾摺機１５の排出口１５Ａに対応している。このため、籾摺機１５を経由した後の玄米Ｇは石抜き機１６へ供給されるようになっている。
【００２７】
なお、これらの籾摺機１５及び石抜き機１６は、適宜の樋等によってそれぞれ独立して昇降機１３の切換弁１４に連通されており、切換弁１４が切換え作動することにより、昇降機１３からそれぞれ直接に米粒が供給されるようになっている。
【００２８】
また、昇降機１３の側方には、精米機１７が配置されており、石抜き機１６を経由後の玄米Ｇが供給されるようになっている。精米機１７は、精白ロールを備えた縦型円筒摩擦式とされており、玄米Ｇの精米処理ができる。なおこの精米機１８は、他の型式のもの例えば、横型円筒式のものや、循環機構を備えた循環式のもの、あるいは金剛砥石ロールを供えた研削式のものであっても差し支えない。
【００２９】
精米機１７の側方には糠回収機１８が配置されており、精米処理の際に発生する米糠を回収して糠袋１８Ａに集積できる。この糠袋１８Ａは自由に取り替えることが可能である。
【００３０】
また、精米機１７の側方には、昇降機１９が設けられている。昇降機１９は、精米機１７の放出口１７Ａに対応した位置から白米Ｈを受け取り、機体１２の上部へ持ち上げ搬送できる。
【００３１】
昇降機１９の放出口１９Ａの下方には、集積タンク４０が配置されている。集積タンク４０に、精米処理後の白米Ｈが集積される。
【００３２】
集積タンク４０は、下側に開閉シャッタ４２が備えられている。開閉シャッタ４２は、シャフト４３を介してペダル４４に接続されている。開閉シャッタ４２は、通常時には閉鎖されており、ペダル４４が踏み込まれることにより開放され、ペダル４４の踏み込みが解除されることにより閉鎖される。
【００３３】
次に、供給ホッパ２０の側部に設けられた米袋台２６について説明する。
【００３４】
米袋台２６は、図３にも示すように、略Ｌ字状の板部材で構成されている。米袋台２６は、一端辺が供給ホッパ２０の前面手前側の一端辺と蝶番２８を介して接続されており、蝶番２８を中心としてＲ方向に回転可能とされている。
【００３５】
米袋台２６は、通常の稼働時には、Ｌ字の屈曲部分の内側の一面を構成する載置部２６Ａが上方向に向けて配置され、他面を構成する側部２６Ｂが供給ホッパ２０に沿って略鉛直方向に配置される。この状態（以下この状態での米袋台２６の位置を「開放位置Ｐ１」という）で、供給ホッパ２０の投入口２２は開放されており、米袋台２６の載置部２６Ａ上に米袋が載置可能とされる。このとき、載置部２６Ａは投入口２２よりも低い高さに配置されている。また、米袋台２６の載置部２６Ａの下側には、脚２７が設けられている。脚２７は、略Ｕ字状とされ、米袋台２６が開放位置Ｐ１に配置されている状態で載置部２６Ａが水平に保持されるように操作室１２Ａの床Ｆと接触する長さとされている。
【００３６】
米袋台２６は、自動精米装置１０が点検や故障により非稼働中のときには、図４に示すように、供給ホッパ２０の投入口２２を覆って閉鎖する閉鎖位置Ｐ２に配置される。米袋台２６の側部２６Ｂの裏側には、非稼働中である旨を表示する「点検中」の文字が記載された表示部２９が設けられており、米袋台２６が閉鎖位置Ｐ２に配置されると、操作室１２Ａに在室する利用者から「点検中」の表示が視認可能となる。
【００３７】
次に本実施の形態の作用を説明する。
【００３８】
上記構成の自動精米装置１０を利用する際には、コインをコイン投入口３４へ投入するか、カードをカード挿入口３２へ挿入し、供給ホッパ２０へ籾米Ｍあるいは玄米Ｇを投入する。このとき、籾米Ｍあるいは玄米Ｇの入った米袋を米袋台２６に載置して投入すると、投入口２２と載置部２６Ａとの間に段差があるため、投入口２２と米袋の開口とが近くなって投入しやすくなる。
【００３９】
次いで、籾又は玄米の区別を操作ボタン３６から入力した後、運転開始指示を入力すると、供給ホッパ２０のスクリューコンベヤ２１、昇降機１３、籾摺機１５、石抜き機１６、精米機１７、及び、昇降機１９の各駆動モータが作動されて運転が開始される。
【００４０】
運転が開始されると、供給ホッパ２０へ投入された籾米Ｍは、スクリューコンベヤ２１及び昇降機１３によって籾摺機１５へ供給されて脱ぷ処理される（籾が入力されていた場合）。さらに、脱ぷ処理後は、石抜き機１６へ供給される。
【００４１】
なお、供給ホッパ２０へ玄米Ｇが投入された場合には、昇降機１３によって持ち上げ搬送された後に切換弁１４の作動によって、籾摺機１５を介さないでそのまま石抜き機１６へ供給される（玄米が入力された場合）。
【００４２】
石抜き機１６によって石抜きされた米粒（玄米Ｇ）は、さらに精米機１７へ供給される。精米機１７では、玄米Ｇの精米処理が実施される。また、この精米機１７による精米処理の際に発生する米糠は、糠回収機１８によって回収されて糠袋１８Ａに集積される。
【００４３】
さらに、精米機１７によって精米された白米Ｈは、昇降機１９によって持ち上げ搬送されて排出口１９Ａから集積タンク４０へ送り出され、袋４８に集積されて、装置の利用者に提供される。
【００４４】
精米処理を行う自動精米装置１０が、点検や故障のため、非稼働となった際には、米袋台２６を回転させて、開放位置Ｐ１から閉鎖位置Ｐ２へ移動させる。これにより、供給ホッパ２０の投入口２２が閉鎖され、「点検中」と記載された表示部２９が利用者から視認される。したがって、非稼働中に利用者が誤って米粒を投入するのを防止することができる。
【００４５】
なお、前述した実施の形態においては機体１２に籾摺機１５を設け、籾Ｍあるいは玄米Ｇの何れであっても対応して精米処理できる構成としたが、これに限らず、籾摺機１５を設けず玄米Ｇ専用の精米処理部として構成することもできる。
【図面の簡単な説明】
【００４６】
【図１】本発明の実施形態に係る自動精米装置の全体構成を示す概略構成図である。
【図２】本発明の実施の形態に係る自動精米装置の精米処理部の正面部分の斜視図である。
【図３】本発明の実施形態に係る自動精米装置の供給ホッパが開放位置にある状態を示す斜視図である。
【図４】本発明の実施形態に係る自動精米装置の供給ホッパが閉鎖位置にある状態を示す斜視図である。
【符号の説明】
【００４７】
１０   自動精米装置
１２   機体
１８   精米機
２０   供給ホッパ
２１   スクリューコンベヤ
２２   投入口
２６Ａ 載置部
２６Ｂ 側部
２６   米袋台
２７   脚
２８   蝶番
２９  表示部
３０   操作パネル
３２   カード挿入口
３４   コイン投入口
４０   集積タンク
Ｇ     玄米
Ｈ     白米
Ｐ１   開放位置
Ｐ２   閉鎖位置
【図１】
2006326402.tif 000003
【図２】
2006326402.tif 000004
【図３】
2006326402.tif 000005
【図４】
2006326402.tif 000006